(57)【要約】【課題】  本発明は、公知のダブルクリップが使用できるようにしたクリップ用ハンガー及びそれを備えた吊り下げクリップ、吊り下げ装置を提供する。【解決手段】  クリップハンガー吊り下げ装置Ｃは、吊り下げクリップ１と、門型形状を有する吊り下げ部材２を備えている。吊り下げクリップ１は、ダブルクリップ１０と、ダブルクリップ１０が取り付けられるクリップ用ハンガー１１を備えている。クリップ用ハンガー１１は、吊下部１１０と、クリップ取着部１１１を備えている。クリップ取着部１１１は、ダブルクリップ１０の連結部１０３を横方向から挿し込んで取り付ける挿入溝１１２が水平方向に形成された略ヘアピン形状を有している。【選択図】図１
2008030325.tif 000002
【特許請求の範囲】
【請求項１】
板状体を曲げて、対向する挟持片(102,102)と両挟持片(102,102)を連結する連結部(103)を備えるよう形成してある挟持体(100)と、挟持体(100)の挟持片(102,102)を開くための操作レバー(101)とを備えたクリップ(10)を取り付けるクリップ用ハンガー(11)であって、
吊り下げ部に吊り下げ可能な吊下部(110)と、
クリップ(10)が取り付け可能なクリップ取着部(111)と、
を備えており、
クリップ取着部(111)は、クリップ(10)の連結部(103)を挿し込むことができる挿入溝(112)を有する、
クリップ用ハンガー。
【請求項２】
クリップ取着部(111)は吊下部(110)に対して、吊り下げ方向と直交する方向または水平方向に回動または回転可能なよう連結してある、
請求項１記載のクリップ用ハンガー。
【請求項３】
板状体を曲げて、対向する挟持片(102,102)と両挟持片(102,102)を連結する連結部(103)を備えるよう形成してある挟持体(100)と、挟持体(100)の挟持片(102,102)を開くための操作レバー(101)とを備えたクリップ(10)を取り付けるクリップ用ハンガー(11a)であって、
吊り下げ部に吊り下げ可能な吊下部材(110a)と、
クリップ(10)が取り付け可能なクリップ取着部材(111a)と、
を備えており、
吊下部材(110a)は、吊り下げ方向と同方向または実質的に同方向に延びる軸部(115a)を下部側に備えており、
クリップ取着部材(111a)は、クリップ(10)の連結部(103)を挿し込むことができる挿入溝(112a)と、側面の一部に開口部を設けて形成してあり上記軸部(115a)が収容可能な軸受部(117a)とを備えており、
上記吊下部材(110a)は、上記クリップ取着部材(111a)の開口部を通して軸部(115a)を軸受部(117a)に収容することでクリップ取着部材(111a)に連結してある、
クリップ用ハンガー。
【請求項４】
板状体を曲げて、対向する挟持片(102,102)と両挟持片(102,102)を連結する連結部(103)を備えるよう形成してある挟持体(100)と、挟持体(100)の挟持片(102,102)を開くための操作レバー(101)とを備えたクリップ(10)を取り付けるクリップ用ハンガー(11b)であって、
吊り下げ部に吊り下げ可能な吊下部材(110b)と、
クリップ(10)が取り付け可能なクリップ取着部材(111b)と、
を備えており、
吊下部材(110b)は、球状またはボール状の嵌入取着部(115b)を下部側に備えており、
クリップ取着部材(111b)は、クリップ(10)の連結部(103)を挿し込むことができる挿入溝(112b)と、上記嵌入取着部(115b)が隙間なくまたは実質的に隙間なく嵌め込み可能な軸受部(116b)とを備えており、
上記軸受部(116b)には、嵌入取着部(115b)が挿し込まれる挿入口と、嵌入取着部(115b)が軸受部(116b)に圧入して嵌め込まれるときに挿入口の大きさを変える拡開補助手段が設けてあり、
上記吊下部材(110b)は、嵌入取着部(115b)を上記クリップ取着部材(111b)の軸受部(116b)に隙間なくまたは実質的に隙間なく嵌めることでクリップ取着部材(111b)に連結してある、
クリップ用ハンガー。
【請求項５】
請求項１，２，３または４記載のクリップ用ハンガー(11,11a,11b)と、
挟持体(100)及び操作レバー(101)を備えるクリップ(10)と、
を備えており、
クリップ(10)が、挟持体(100)の連結部(103)を挿入溝(112)に挿し込んでクリップ用ハンガー(11,11a,11b)に取り付けてある、
吊り下げクリップ。
【請求項６】
請求項５記載の吊り下げクリップ(1)と、
吊り下げクリップ(1)が吊り下げ可能な吊り下げ部を含む吊り下げ部材(2,2a)と、
を備える、
吊り下げ装置。
【請求項７】
吊り下げ部材(2,2a)に吊り下げた吊り下げクリップ(1)の揺れを止める揺れ止め部(220,222a)を備える、
請求項６記載の吊り下げ装置。
【発明の詳細な説明】
【技術分野】
【０００１】
本発明は、クリップ用ハンガー及びそれを備えた吊り下げクリップ、吊り下げ装置に関する。更に詳しくは、例えば、作業指示書等の書類を吊り下げるクリップとして、公知のダブルクリップが使用できるようにしたものに関する。また、クリップ用ハンガーやそれを備えた吊り下げクリップを前後方向に複数個並べた場合において、挟んだ書類等との間に形成される無駄な空間が小さくなるようにしたものに関する。
【背景技術】
【０００２】
例えば、工場等の生産部門では、作業内容の的確な指示と効率良く生産活動を行うために、書類を用いて作業内容の指示がなされている。このような書類は作業指示書といわれ、一枚の作業指示書には一工程の作業が記載されている。従って、複数工程に関わる作業を行う場合は、複数枚の作業指示書が配布される。
【０００３】
通常、作業指示書は作業員の良く見える箇所に吊り下げて表示される。複数枚の作業指示書を有する場合では、各工程の終了時に前後の順序を入れ替えて、次の作業指示書が最も手前に表示され、終了した作業指示書が最も奥に配置されるよう並べ替えられる。作業指示書はクリップ等で挟み、これをワイヤーやレールに場所の移動ができるよう引っ掛けて吊り下げてある。このような作業指示書を挟むクリップとしては、例えば、特許文献１に開示されたものがある。
【特許文献１】特開平１０−１０９４８５号公報
【発明の開示】
【発明が解決しようとする課題】
【０００４】
しかし、上記した特許文献１記載のクリップには、次のような課題があった。
特許文献１記載のクリップは、支軸を介して開閉するクリップ本体を備え、端部にフック状の掛止部を形成した棒状の部材が、クリップ本体の支軸から延びて設けられた構造を有している。そのためクリップ本体としては、支軸を備える目玉クリップのようなものしか使用できず、例えば、ダブルクリップのような支軸を備えないものは使用できなかった。ダブルクリップは、板状体を曲げて、対向する挟持片と両挟持片を連結する連結部を備えるよう形成してある挟持体と、挟持体の挟持片を開くための操作レバーとを備えたものである。目玉クリップは支軸を介して開閉するので、摘み部側には挟んだ書類の厚みよりも広い幅が必要とされる。つまり、作業指示書等の書類を前後方向に複数枚並べた場合では、書類等との間に無駄な空間ができてしまう。そのため特許文献１記載のクリップではワイヤーやレール等の吊り下げ部を含む全体をコンパクトにすることは困難であった。
【０００５】
本発明の目的は、例えば、作業指示書等の書類を吊り下げるクリップとして、公知のダブルクリップが使用できるようにするクリップ用ハンガー及びそれを備えた吊り下げクリップを提供することにある。
また、本発明の他の目的は、クリップ用ハンガーやそれを備えた吊り下げクリップを前後方向に複数個並べた場合において、挟んだ書類等との間に形成される無駄な空間が小さくなるようにして、全体としてコンパクトにできる吊り下げ装置を提供することにある。
【課題を解決するための手段】
【０００６】
上記目的を達成するために本発明が講じた手段は次のとおりである。
本発明は、板状体を曲げて、対向する挟持片と両挟持片を連結する連結部を備えるよう形成してある挟持体と、挟持体の挟持片を開くための操作レバーとを備えたクリップを取り付けるクリップ用ハンガーであって、吊り下げ部に吊り下げ可能な吊下部と、クリップが取り付け可能なクリップ取着部とを備えており、クリップ取着部は、クリップの連結部を挿し込むことができる挿入溝を有するクリップ用ハンガーである。
【０００７】
クリップ用ハンガーは、クリップ取着部は吊下部に対して、吊り下げ方向と直交する方向または水平方向に回動または回転可能なよう連結してあることが好ましい。
【０００８】
本発明は、板状体を曲げて、対向する挟持片と両挟持片を連結する連結部を備えるよう形成してある挟持体と、挟持体の挟持片を開くための操作レバーとを備えたクリップを取り付けるクリップ用ハンガーであって、吊り下げ部に吊り下げ可能な吊下部材と、クリップが取り付け可能なクリップ取着部材とを備えており、吊下部材は、吊り下げ方向と同方向または実質的に同方向に延びる軸部を下部側に備えており、クリップ取着部材は、クリップの連結部を挿し込むことができる挿入溝と、側面の一部に開口部を設けて形成してあり上記軸部が収容可能な軸受部とを備えており、上記吊下部材は、上記クリップ取着部材の開口部を通して軸部を軸受部に収容することでクリップ取着部材に連結してあるクリップ用ハンガーである。
【０００９】
本発明は、板状体を曲げて、対向する挟持片と両挟持片を連結する連結部を備えるよう形成してある挟持体と、挟持体の挟持片を開くための操作レバーとを備えたクリップを取り付けるクリップ用ハンガーであって、吊り下げ部に吊り下げ可能な吊下部材と、クリップが取り付け可能なクリップ取着部材とを備えており、吊下部材は、球状またはボール状の嵌入取着部を下部側に備えており、クリップ取着部材は、クリップの連結部を挿し込むことができる挿入溝と、上記嵌入取着部が隙間なくまたは実質的に隙間なく嵌め込み可能な軸受部とを備えており、上記軸受部には、嵌入取着部が挿し込まれる挿入口と、嵌入取着部が軸受部に圧入して嵌め込まれるときに挿入口の大きさを変える拡開補助手段が設けてあり、上記吊下部材は、嵌入取着部を上記クリップ取着部材の軸受部に隙間なくまたは実質的に隙間なく嵌めることでクリップ取着部材に連結してあるクリップ用ハンガーである。
【００１０】
本発明は、上記クリップ用ハンガーと、挟持体及び操作レバーを備えるクリップとを備えており、クリップが、挟持体の連結部を挿入溝に挿し込んでクリップ用ハンガーに取り付けてある吊り下げクリップである。
【００１１】
本発明は、上記吊り下げクリップと、吊り下げクリップが吊り下げ可能な吊り下げ部を含む吊り下げ部材とを備える吊り下げ装置である。
【００１２】
吊り下げ装置は、吊り下げ部材に吊り下げた吊り下げクリップの揺れを止める揺れ止め部を備えることが好ましい。
【００１３】
クリップには、書類や書類等を収容するフォルダー等を挟んで取り付けることができる。フォルダーは収容した内容物が見えるように透明または半透明のものが好適である。
【００１４】
なお、特許請求の範囲及び次の作用の欄では、本発明の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００１５】
（作  用）
本発明の作用を説明する。
クリップ用ハンガー(11,11a,11b)は、板状体を曲げて、対向する挟持片(102,102)と両挟持片(102,102)を連結する連結部(103)を備えるよう形成してある挟持体(100)と、挟持体(100)の挟持片(102,102)を開くための操作レバー(101)とを備えた、いわゆる公知のダブルクリップ(10)を取り付けるものである。クリップ用ハンガー(11,11a,11b)には、クリップ取着部(111)の挿入溝(112)またはクリップ取着部材(11a,11b)の挿入溝(112a,112b)に、クリップ(10)の連結部(103)を挿し込んで、クリップ(10)が取り付け可能である。
【００１６】
吊下部材(110a)の軸部(115a)をクリップ取着部材(111a)の軸受部(117a)に嵌めて連結してあるクリップ用ハンガー(11a)は、クリップ取着部材(111a)が吊下部材(110a)に対して、吊り下げ方向と直交する方向または水平方向に回動または回転可能である。
【００１７】
吊下部材(110b)の嵌入取着部(115b)をクリップ取着部材(111b)の軸受部(116b)に嵌めて連結してあるクリップ用ハンガー(11b)は、クリップ取着部材(111b)が吊下部材(110b)に対して各方向に自在に動かせる。
【００１８】
クリップ用ハンガー(11,11a,11b)にクリップ(10)を取り付けてなる吊り下げクリップ(1)は、吊下部(110)または吊下部材(110a,110b)によって吊り下げ部材(2,2a)から吊り下げることができる。吊り下げクリップ(1)のクリップ(10)には書類等を挟むことができる。
【００１９】
揺れ止め部(220,222a)を備えるものは、吊り下げ部材(2,2a)に吊り下げた吊り下げクリップ(1)の揺れを止める。
【発明の効果】
【００２０】
本発明は上記構成を備え、次の効果を有する。
（ａ）本発明によれば、挟持体とこれを開くための操作レバーを備えた、いわゆるダブルクリップを使った吊り下げクリップが構成できる。この吊り下げクリップは、例えば、クリップの操作レバーを書類側に倒した状態、即ち、操作レバー同士を合わせた状態にすることにより、吊り下げクリップの厚みが挟持体の連結部の幅厚と略同じ厚みにできる。従って、従来の目玉クリップを使ったものより幅薄にでき、これにより吊り下げクリップを複数個並べて吊り下げたときでは、挟んだ書類等の間にできる無駄な空間が小さくなる。
【００２１】
（ｂ）吊り下げクリップは、クリップ取着部の挿入溝に、クリップの連結部を挿し込むことによって、クリップがクリップ用ハンガーに取り付けられる構造を有している。従って、例えば、最小のクリップに適合するようにその大きさを設定しておけば、クリップ用ハンガーには種々の大きさのクリップが取り付け可能である。
【００２２】
（ｃ）クリップ用ハンガーのうちクリップ取着部と吊下部が回動または回転可能に連結してあるものや、クリップ取着部材と吊下部材が連結してあるものは、例えば、吊り下げ部が所要長さを有する吊り下げ部材に吊り下げる場合において、挟んだ書類等の表裏面が吊り下げ部の長さ方向に対して斜め方向を向くようにできる、この場合では書類等の端側を露出させて見せることができるので、吊り下げられた書類の内容が把握し易くなり、目的とする書類の検索性が良くなる。
【００２３】
（ｄ）揺れ止め部を備えるものは、吊り下げ部材に吊り下げた吊り下げクリップの揺れを止めることができる。従って、吊り下げクリップに挟んだ書類等は、吊り下げた状態でも揺れにくい。
【発明を実施するための最良の形態】
【００２４】
本発明の実施の形態を図面に基づき更に詳細に説明する。
図１は本発明に係るクリップハンガー吊り下げ装置の一実施の形態を示す使用状態斜視説明図、
図２は図１に示すクリップハンガー吊り下げ装置の縦断面図、
図３は吊り下げクリップを構成するクリップ用ハンガーを斜め上側から見た斜視説明図、
図４は図３に示すクリップ用ハンガーを斜め下側から見た斜視説明図である。
【００２５】
符号Ｃはクリップハンガー吊り下げ装置を示している。クリップハンガー吊り下げ装置Ｃは、吊り下げクリップ１と、門型形状を有する吊り下げ部材２を備えている。
【００２６】
吊り下げクリップ１は、ダブルクリップ１０と、ダブルクリップ１０が取り付けられるクリップ用ハンガー１１を備えている。ダブルクリップ１０は、板状体を曲げて、対向する挟持片１０２，１０２と両挟持片１０２，１０２を連結する連結部１０３を備えるよう形成した挟持体１００と、挟持体１００の挟持片１０２，１０２を開くための操作レバー１０１とを備えた挟持体１００と、摘んで挟持体１００を開く操作レバー１０１を備える公知のものを使用している。
【００２７】
クリップ用ハンガー１１は、吊下部１１０と、クリップ取着部１１１を備えている。吊下部１１０は、吊り下げ部材２の吊り下げ部２１１に引っ掛けて吊り下げることができる略逆「Ｊ」型状のフック形状を有している。クリップ取着部１１１は、吊下部１１０の下部側に連続して設けてあり、ダブルクリップ１０の連結部１０３を横方向から挿し込んで取り付ける挿入溝１１２が水平方向に形成された略ヘアピン形状を有している。
【００２８】
挿入溝１１２を形成する上側の内面１１８には、なだらかに凹んだ曲面を有する凹部１１３が形成してある。また、挿入溝１１２を形成する下側の内面のうち上記凹部１１３と対応する部分には、なだらかに出ばった曲面を有する凸部１１４が形成してある。クリップ取着部１１１の挿入溝１１２より下側の側面は、下側に向かって窄まるよう形成してある。
【００２９】
ダブルクリップ１０は、挟持体１００の連結部１０３を挿入溝１１２に挿し込んで、クリップ取着部１１１の下側部分を挟持体１００内部に配置することで、挿入溝１１２を形成する凹部１１３以外の上側の内面１１８と、凸部１１４とで挟まれて取り付けられる。クリップ用ハンガー１１は、クリップ取着部１１１の側面が下側に向かって窄まるよう形成してあるので、ダブルクリップ１０が小さく挟持体１００内部の空間が狭い場合でも対応し易い。
【００３０】
クリップ用ハンガー１１は合成樹脂による成形品であり、吊下部１１０とクリップ取着部１１１が一体に形成されている。クリップ用ハンガー１１を形成する合成樹脂は、例えば、摺動特性に優れるポリアセタールが好適に使用される。しかし、クリップ用ハンガー１１を形成する材料は、特に限定するものではなく、例えば、他の合成樹脂、金属、陶器、磁器、木材等を使用しても良い。また、クリップ用ハンガー１１は削り出し等によって形成しても良い。
【００３１】
吊り下げ部材２は、土台２０と、土台２０間に設けてある吊り下げ枠部材２１と、揺れ止め部である揺止防止部材２２を備えている。吊り下げ枠部材２１は、所要長さを有する金属製の丸棒を使用して形成してある。吊り下げ枠部材２１は、両側に柱部２１０、２１０と、その間に吊り下げ部２１１が形成されるよう二箇所を略直角に折り曲げて形成してある。
【００３２】
土台２０は所要間隔をあけて二箇所に設けてある。各土台２０には、吊り下げ枠部材２１の柱部２１０がそれぞれ略垂直方向に立てて設けてある。こうして吊り下げ部２１１が土台２０間に架け渡された状態にしてある。吊り下げ枠部材２１は、土台２０に設けてある固定ネジ２００をねじ込むことで、外れないよう取り付けられる。
【００３３】
揺止防止部材２２は、吊り下げ枠部材２１の吊り下げ部２１１と略同じ長さを有する揺止部２２０と、揺止部２２０の両端に設けてある取着部２２１と、固定するための固定ネジ２２２を備えている。揺止部２２０は所要幅の板状または帯状形状を有している。取着部２２１は短管形状を有している。取着部２２１の内径は、吊り下げ枠部材２１の外径よりやや径大になるよう形成してある。揺止部２２０は、揺止防止部材２２を吊り下げ枠部材２１に取り付けたときに、吊り下げ部２１１の下方にかからないように取着部２２１間に架け渡して設けてある。
【００３４】
揺止防止部材２２は、取着部２２０内に吊り下げ枠部材２１の柱部２１０を通して取り付けてある。揺止防止部材２２は、柱部２１０に沿って吊り下げ部２１１近傍まで移動させ、固定ネジ２２２を取着部２２０の周面側からねじ込むことで柱部２１０に固定される。
【００３５】
吊り下げ部材２を構成する土台２０は合成樹脂による成形品である。しかし、土台を形成する材料は、特に限定するものではなく、例えば、金属、陶器、磁器、木材等を使用しても良い。また、削り出し等によって形成しても良い。
吊り下げ部材２を構成する吊り下げ枠部材２１と揺止防止部材２２は金属で形成してある。しかし、吊り下げ枠部材と揺止防止部材を形成する材料は、特に限定するものではなく、例えば、合成樹脂、陶器、磁器、木材等を使用しても良い。
【００３６】
（作  用）
図１ないし図４を参照して本実施の形態で示すクリップハンガー吊り下げ装置の使い方及びその作用を説明する。
クリップハンガー吊り下げ装置Ｃは、クリップ用ハンガー１１にダブルクリップ１０を取り付けて吊り下げクリップ１とし、ダブルクリップ１０に書類等を挟んだ状態で吊下部１１０を吊り下げ枠部材２１の吊り下げ部２１１に引っ掛けて使用する。
【００３７】
書類等を挟んだ吊り下げクリップ１は、操作レバー１０１を書類側に倒した状態、即ち、操作レバー１０１同士を合わせた状態にしておくことが好ましい。操作レバー１０１をこの状態にすることにより、吊り下げクリップ１の厚みを挟持体１００の連結部１０３の幅厚にできる。従って、吊り下げ部２１１に吊り下げクリップ１を複数個並べて吊り下げたときの書類等の間の無駄な空間が小さくでき、多くの吊り下げクリップ１を吊り下げることができる。
【００３８】
揺止防止部材２２は、吊り下げクリップ１を吊り下げ部２１１から吊り下げたときに、吊り下げクリップ１のクリップ取着部１１１の上面１１９が揺止部２２０の下面に当たった状態で停止し、ダブルクリップ１０が略水平になる位置に固定してある。従って、吊り下げクリップ１に挟んだ書類等は、吊り下げた状態でも揺れにくい。
【００３９】
吊り下げクリップ１は、吊り下げ枠部材２１に沿ってまたはスライドさせて吊り下げたまま移動可能である。従って、例えば、書類を挟んだ吊り下げクリップ１を時系列的に並べて、書類の先入れ先出し機能を備えるシステムを構築することもできる。これによりクリップハンガー吊り下げ装置Ｃは、従来例で挙げた作業指示書を吊り下げる装置の他に、例えば、事務所等にて使用する文房具としての利用も可能である。更にこの場合では吊り下げクリップ１や吊り下げ部材２を木材等で形成する等して質感を高め、クリップハンガー吊り下げ装置Ｃに高級感を持たせることもできる。
【００４０】
また、吊り下げクリップ１を複数吊り下げる場合では、色の異なる吊り下げクリップ１を使用したり、吊り下げクリップ１にシールやペン等により印やマークを付けたりすることにより、例えば、挟む書類を種類や分野ごとに分けたりすることもでき検索性が良くなる。
【００４１】
吊り下げクリップ１は、クリップ取着部１１１の挿入溝１１２に、挟持体１００の連結部１０３を挿し込むことでダブルクリップ１０が取り付けられる構造を有している。従って、例えば、最小のクリップに適合するようにその大きさを設定しておけば、クリップ用ハンガーには種々の大きさのクリップが取り付け可能である。
【００４２】
図５は吊り下げ部材の他の例を示す使用状態斜視説明図、
図６は図５に示す吊り下げ部材の縦断面図である。
吊り下げ部材２ａは、上記した吊り下げクリップ１が吊り下げ可能である。吊り下げ部材２ａは、土台２０ａと、柱部材２１ａと、架設部材２２ａを備えている。土台２０ａは上記した土台２０と同じ構造を有するので説明は省略する。
【００４３】
柱部材２１ａは、所要長さを有する金属製の丸棒を使用して形成してある。
柱部材２１ａの上縁部には、周面を切り欠いて径小な嵌合凸部（図示省略）が形成してある。柱部材２１ａは、各土台２０ａに略垂直方向に立てて設けてある。
【００４４】
架設部材２２ａは、吊り下げクリップ１を吊り下げる吊り下げ部２２０ａと、吊り下げ部２２０ａの両端に設けてある取着部２２１ａと、吊り下げ部２２０ａと略同じ長さを有する揺止部２２２ａと、見出し手段が取り付け可能な見出し手段取付部２２３ａと、固定ネジ２２４ａを備えている。
【００４５】
吊り下げ部２２０ａは、所要長さを有する金属製の丸棒を使用して形成してある。取着部２２１ａは短管形状を有している。取着部２２１ａの内径は、柱部材２１ａに形成した嵌合凸部の外径よりやや径大になるよう形成してある。
【００４６】
揺止部２２２ａは所要幅の板状または帯状形状を有している。揺止部２２２ａは、吊り下げ部２２０ａの下方にかからないように取着部２２１ａ間に架け渡して設けてある。
【００４７】
見出し手段取付部２２３ａは所要幅の板状または帯状形状を有している。見出し手段取付部２２３ａは、揺止部２２２ａの外側に配置されるよう取着部２２１ａ間に、吊り下げ部２２０ａに沿うよう架け渡して設けてある。
【００４８】
架設部材２２ａは、取着部２２１ａ内に柱部材２１ａの嵌合凸部を嵌め入れて、固定ネジ２２４ａを取着部２２１ａの周面側からねじ込むことで柱部材２１ａに固定される。
【００４９】
吊り下げ部材２ａを構成する土台２０ａや架設部材２２ａは合成樹脂による成形品である。しかし、これらを形成する材料は、特に限定するものではなく、例えば、金属、陶器、磁器、木材等を使用しても良い。また、削り出し等によって形成しても良い。
【００５０】
吊り下げ部材２ａを構成する柱部材２１ａは金属で形成してある。しかし、柱部材を形成する材料は、特に限定するものではなく、例えば、合成樹脂、陶器、磁器、木材等を使用しても良い。
【００５１】
（作  用）
図５及び図６を参照して、吊り下げ部材２ａを使用したときの使い方及びその作用を説明する。なお、上記したクリップハンガー吊り下げ装置Ｃと共通または実質的に共通する構成により生じる同様の作用、効果については説明を省略し、相違する点についてのみ説明する。
【００５２】
吊り下げ部材２ａは見出し手段取付部２２３ａを備えているので、見出し手段取付部２２３ａに見出し手段である見出しクリップ３を取り付けることができる。これにより、例えば、見出しクリップ３を隔てた一方側と他方側とで、処理済み書類と未処理書類といった具合に吊り下げクリップ１の吊り下げ位置で書類を分類することができる。
【００５３】
図７はクリップ用ハンガーの他の例を示す斜視説明図、
図８は図７に示すクリップ用ハンガーの正面図、
図９は図７に示すクリップ用ハンガーの背面図、
図１０はクリップ用ハンガーの吊下部材を示す正面図である。
クリップ用ハンガー１１ａは、上記した吊り下げ部材２や吊り下げ部材２ａに吊り下げ可能である。クリップ用ハンガー１１ａには、公知のダブルクリップが取り付け可能である。クリップ用ハンガー１１ａは、吊下部材１１０ａと、クリップ取着部材１１１ａを備えている。
【００５４】
吊下部材１１０ａは、吊り下げ部材２の吊り下げ部２１１や吊り下げ部材２ａの吊り下げ部２２０ａに引っ掛けて吊り下げることができる略逆「Ｊ」型状のフック形状を有している。吊下部材１１０ａの下端部には、クリップ取着部材１１１ａを回動または回転可能に連結する軸部１１５ａ及びストッパー部１１６ａが形成してある。
【００５５】
軸部１１５ａは吊下部材１１０ａの下端部から垂下して設けてあり、ストッパー部１１６ａは軸部１１５ａの先端部に径大な円板面が直交するよう設けてある。軸部１１５ａ及びストッパー部１１６ａは、吊り下げた吊り下げ部２１１や吊り下げ部２２０ａの鉛直方向に位置する箇所に形成してある。
【００５６】
吊下部材１１０ａは、吊り下げたときに吊り下げ部２１１や吊り下げ部２２０ａに当たる部分と、側面との境部分が実質的に丸くしてあり、全体として角部が形成されないようにしてある（図７参照）。
【００５７】
クリップ取着部材１１１ａは、ダブルクリップを横方向から挿し込んで取り付ける挿入溝１１２ａが水平方向に形成された略ヘアピン形状を有している。挿入溝１１２ａを形成する上側の内面１１８ａには、なだらかに凹んだ曲面を有する凹部１１３ａが形成してある。また、挿入溝１１２ａを形成する下側の内面のうち上記凹部１１３ａと対応する部分には、略半円状に出ばった曲面を有する凸部１１４ａが形成してある。クリップ取着部材１１１ａの挿入溝１１２ａより下側の側面は、下側に向かって窄まるよう形成してある。
【００５８】
クリップ取着部材１１１ａの挿入溝１１２ａより上側の部分には、吊下部材１１０ａの軸部１１５ａ及びストッパー部１１６ａを嵌め入れる軸受部１１７ａが形成してある。軸受部１１７ａは、吊下部材１１０ａがクリップ取着部材１１１ａの側方から圧入して連結されるよう側面に開口部を設けて形成してある。軸受部１１７ａは、軸部１１５ａが嵌る部分と、これより径大に形成してありストッパー部１１６ａが嵌る部分を備えている。
【００５９】
クリップ用ハンガー１１ａは、吊下部材１１０ａの軸部１１５ａ及びストッパー部１１６ａをクリップ取着部材１１１ａの軸受部１１７ａに側方から圧入して嵌め込み、クリップ取着部材１１１ａが上記の軸部１１５ａを中心として吊り下げ方向に対して直交する方向または水平方向に回動または回転可能で、かつ吊下部材１１０ａと一体になるよう連結してある。なお、クリップ取着部材１１１ａが自由に回動または回転するのを防ぐためには、上記した連結はややきつめにするのが好適である。
ダブルクリップの取り付け方法及び取り付け構造は、上記したクリップ用ハンガー１１と略同じなので説明は省略する。
【００６０】
クリップ用ハンガー１１ａは合成樹脂による成形品である。クリップ用ハンガー１１ａを形成する合成樹脂は、例えば、摺動特性に優れるポリアセタールが好適に使用される。しかし、クリップ用ハンガー１１ａを形成する材料は、特に限定するものではなく、例えば、他の合成樹脂、金属、陶器、磁器、木材等を使用しても良い。また、削り出し等によって形成しても良い。
【００６１】
（作  用）
図７ないし図１０を参照して、クリップ用ハンガー１１ａを使用したときの使い方及びその作用を説明する。なお、上記したクリップハンガー吊り下げ装置Ｃと共通または実質的に共通する構成により生じる同様の作用、効果については説明を省略し、相違する点についてのみ説明する。
【００６２】
クリップ用ハンガー１１ａは、クリップ取着部材１１１ａが上記の軸部１１５ａを中心として吊り下げ方向と直交する方向または水平方向に回動または回転可能である。従って、例えば、吊り下げ部２１１や吊り下げ部２２０ａに吊り下げる場合では、クリップ取着部材１１１ａを動かして、挟んだ書類等の表裏面が吊り下げ部２１１や吊り下げ部２２０ａの長さ方向に対して斜め方向を向くようにすれば、書類等の端側を露出させて見せることができる。この場合では吊り下げられた書類の内容が把握し易くなり、目的とする書類の検索性が良くなる。
【００６３】
クリップ用ハンガー１１ａは、吊り下げたときに吊り下げ部２１１や架設部材２２ａに当たる部分と、吊下部材１１０ａの側面との境部分が実質的に丸くしてあり、全体として角部が形成されないようにしてあるので、吊り下げ部２１１や架設部材２２ａに沿わせてスライドさせたときの滑りが良く、使い心地が良好である。
【００６４】
図１１はクリップ用ハンガーの更に他の例を示す斜視説明図、
図１２は図１１に示すクリップ用ハンガーの正面図、
図１３は図１１に示すクリップ用ハンガーの左側面図、
図１４は図１１に示すクリップ用ハンガーの右側面図、
図１５は図１１に示すクリップ用ハンガーの平面図、
図１６は図１１に示すクリップ用ハンガーの底面図である。
クリップ用ハンガー１１ｂは、上記した吊り下げ部材２や吊り下げ部材２ａに吊り下げ可能である。クリップ用ハンガー１１ｂには、公知のダブルクリップが取り付け可能である。クリップ用ハンガー１１ｂは、吊下部材１１０ｂと、クリップ取着部材１１１ｂを備えている。
【００６５】
吊下部材１１０ｂは、吊り下げ部材２の吊り下げ部２１１や吊り下げ部材２ａの吊り下げ部２２０ａに引っ掛けて吊り下げることができるよう略全体がフック形状を有している。吊下部材１１０ｂの下端部には、クリップ取着部材１１１ｂをいろいろな方向に自在に動かすことができるよう連結する嵌入取着部１１５ｂが形成してある。嵌入取着部１１５ｂは所要径を有する略球状またはボール状に形成してある。嵌入取着部１１５ｂは自在継ぎ手を構成する。
【００６６】
吊下部材１１０ｂは、吊り下げたときに吊り下げ部２１１や吊り下げ部２２０ａに当たる部分と側面との境部分が実質的に丸くしてあり、全体として角部が形成されないようにしてある。
【００６７】
クリップ取着部材１１１ｂは、ダブルクリップを横方向から挿し込んで取り付ける挿入溝１１２ｂが水平方向に形成された略ヘアピン形状を有している。挿入溝１１２ｂを形成する上側の内面１１８ｂには、なだらかに凹んだ曲面を有する凹部１１３ｂが形成してある。また、挿入溝１１２ｂを形成する下側の内面のうち上記凹部１１３ｂと対応する部分には、略半円状に出ばった曲面を有する凸部１１４ｂが形成してある。クリップ取着部材１１１ｂの挿入溝１１２ｂより下側の側面は、下側に向かって窄まるよう形成してある。
【００６８】
クリップ取着部材１１１ｂの挿入溝１１２ｂより上側の部分には、吊下部材１１０ａの嵌入取着部１１５ｂを嵌め入れる軸受部１１６ｂが形成してある。軸受部１１６ｂは、嵌入取着部１１５ｂの外側の略全体を実質的に隙間なく覆うことができる中空球状または中空ボール状に形成してあり、嵌入取着部１１５ｂの直径より小さい挿入口（符号省略）を上部に備え、周壁には嵌入取着部１１５ｂを上方から圧入することにより、周壁自体が変形または変形して挿入口の大きさを変える拡開補助手段である溝１１７ｂが形成してある。溝１１７ｂは、軸受部１１６ｂの周方向に複数箇所に形成してある。軸受部１１６ｂは自在継ぎ手を構成する。なお、本実施の形態で軸受部１１６ｂは、嵌入取着部１１５ｂの外側の略全体を実質的に隙間なく覆うことができる中空球状または中空ボール状に形成したが、これは限定するものではなく、クリップ取着部材１１１ｂが吊下部材１１０ａの嵌入取着部１１５ｂに対して自在に動かすことができれば他の構造を採用しても良い。また、拡開補助手段は、溝以外に例えばスリットや切れ込みを用いても良い。
【００６９】
クリップ用ハンガー１１ｂは、吊下部材１１０ｂの嵌入取着部１１５ｂをクリップ取着部材１１１ｂの軸受部１１６ｂに上方から圧入して嵌め込み、クリップ取着部材１１１ｂが軸受部１１６ｂを中心として自在に動かすことができ、かつ吊下部材１１０ｂと一体になるよう連結してある。
なお、ダブルクリップの取り付け方法及び取り付け構造は、上記したクリップ用ハンガー１１と略同じなので説明は省略する。
【００７０】
クリップ用ハンガー１１ｂは合成樹脂による成形品である。クリップ用ハンガー１１ｂを形成する合成樹脂は、例えば、摺動特性に優れるポリアセタールが好適に使用される。しかし、クリップ用ハンガー１１ｂを形成する材料は、特に限定するものではなく、例えば、他の合成樹脂、金属、陶器、磁器、木材等を使用しても良い。また、削り出し等によって形成しても良い。
【００７１】
（作  用）
図１１ないし図１６を参照して、クリップ用ハンガー１１ｂを使用したときの使い方及びその作用を説明する。なお、上記したクリップハンガー吊り下げ装置Ｃと共通または実質的に共通する構成により生じる同様の作用、効果については説明を省略し、相違する点についてのみ説明する。
【００７２】
クリップ用ハンガー１１ｂは、クリップ取着部材１１１ｂが上記の軸受部１１６ｂを中心として自在に動かすことができる。従って、クリップ用ハンガー１１ｂは、吊り下げ部材２や吊り下げ部材２ａに吊り下げたままの状態で、挟んだ書類の向きを変えることができる。クリップ用ハンガー１１ｂによれば、例えば、水平方向だけでく、一定の範囲ではあるが垂直方向にも回動させることができる。
【００７３】
クリップ用ハンガー１１ｂは、吊り下げたときに吊り下げ部２１１や吊り下げ部２２０ａに当たる部分と、吊下部材１１０ｂの側面との境部分が実質的に丸くしてあり、全体として角部が形成されないようにしてあるので、吊り下げ部２１１や吊り下げ部２２０ａに沿わせてスライドさせたときの滑りが良く、使い心地が良好である。
【００７４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００７５】
【図１】本発明に係るクリップハンガー吊り下げ装置の一実施の形態を示す使用状態斜視説明図。
【図２】図１に示すクリップハンガー吊り下げ装置の縦断面図。
【図３】吊り下げクリップを構成するクリップ用ハンガーを上側から見た斜視説明図。
【図４】図３に示すクリップ用ハンガーを下側から見た斜視説明図。
【図５】吊り下げ部材の他の例を示す使用状態斜視説明図。
【図６】図５に示す吊り下げ部材の縦断面図。
【図７】クリップ用ハンガーの他の例を示す斜視説明図。
【図８】図７に示すクリップ用ハンガーの正面図。
【図９】図７に示すクリップ用ハンガーの背面図。
【図１０】クリップ用ハンガーの吊下部材を示す正面図。
【図１１】クリップ用ハンガーの更に他の例を示す斜視説明図。
【図１２】図１１に示すクリップ用ハンガーの正面図。
【図１３】図１１に示すクリップ用ハンガーの左側面図。
【図１４】図１１に示すクリップ用ハンガーの右側面図。
【図１５】図１１に示すクリップ用ハンガーの平面図。
【図１６】図１１に示すクリップ用ハンガーの底面図。
【符号の説明】
【００７６】
Ｃ  クリップハンガー吊り下げ装置
１  吊り下げクリップ
１０  ダブルクリップ
１００  挟持体
１０１  操作レバー
１０２  挟持片
１０３  連結部
１１，１１ａ，１１ｂ  クリップ用ハンガー
１１０  吊下部
１１０ａ，１１０ｂ  吊下部材
１１１，１１１ａ，１１１ｂ  クリップ取着部材
１１２，１１２ａ，１１２ｂ  挿入溝
１１３，１１３ａ，１１３ｂ  凹部
１１４，１１４ａ，１１４ｂ  凸部
１１５ａ  軸部
１１５ｂ  嵌入取着部
１１６ａ  ストッパー部
１１６ｂ  軸受部
１１７ａ  軸受部
１１７ｂ  溝
１１８，１１８ａ，１１８ｂ  内面
１１９  上面
２ａ  吊り下げ部材
２０，２０ａ  土台
２００  固定ネジ
２１，２１ａ  吊り下げ柱部材
２１０  柱部
２１１  吊り下げ部
２２  揺止防止部材
２２ａ  架設部材
２２０  取着部
２２０  揺止部
２２０ａ  吊り下げ部
２２１  取着部
２２１ａ  取着部
２２２  固定ネジ
２２２ａ  揺止部
２２３ａ  手段取付部
２２４ａ  固定ネジ
３  見出しクリップ
【図１】
2008030325.tif 000003
【図２】
2008030325.tif 000004
【図３】
2008030325.tif 000005
【図４】
2008030325.tif 000006
【図５】
2008030325.tif 000007
【図６】
2008030325.tif 000008
【図７】
2008030325.tif 000009
【図８】
2008030325.tif 000010
【図９】
2008030325.tif 000011
【図１０】
2008030325.tif 000012
【図１１】
2008030325.tif 000013
【図１２】
2008030325.tif 000014
【図１３】
2008030325.tif 000015
【図１４】
2008030325.tif 000016
【図１５】
2008030325.tif 000017
【図１６】
2008030325.tif 000018